(57)【要約】【課題】プリンタで用いられる紙種に拘らず、色調バランスを保持したまま階調性のずれを調整し、再現性の高い出力画像を取得し得る画像処理装置及びプログラムを提供する。【解決手段】ソースプロファイルＰ１、Ｐ１１を用いて入力画像の表色系をＬ＊ａ＊ｂ＊値に変換し、デスティネーションプロファイルＰ２を用いてＬ＊ａ＊ｂ＊値をＣＭＹＫ値に変換し、変換されたＣＭＹＫ値を出力画像の表色系とする画像処理装置２であって、ソースプロファイルＰ１、Ｐ１１の紙種情報及びデスティネーションプロファイルＰ２の紙種情報に基づいて明度補正量を決定し、決定された明度補正量に基づいて入力画像の明度を補正し、明度が補正された入力画像を出力画像として出力する制御部２１、を備えた画像処理装置２が提供される。【選択図】図２
2011239194.tif 000002
【特許請求の範囲】
【請求項１】
ソースプロファイルを用いて入力画像の表色系をＬ＊ａ＊ｂ＊値に変換し、デスティネーションプロファイルを用いてＬ＊ａ＊ｂ＊値をＣＭＹＫ値に変換し、変換されたＣＭＹＫ値を出力画像の表色系とする画像処理装置であって、
前記ソースプロファイルの紙種情報及び前記デスティネーションプロファイルの紙種情報に基づいて明度補正量を決定し、決定された明度補正量に基づいて入力画像の明度を補正し、明度が補正された入力画像を出力画像として出力する制御部、を備えた画像処理装置。
【請求項２】
前記制御部は、入力画像に対して出力画像が硬調又は軟調となるように前記明度補正量を決定する請求項１に記載の画像処理装置。
【請求項３】
前記制御部は、前記決定された明度補正量に基づいて入力画像の明度及び彩度を補正し、明度及び彩度が補正された入力画像を出力画像として出力する請求項１又は２に記載の画像処理装置。
【請求項４】
前記制御部は、前記ソースプロファイルの紙種情報と前記デスティネーションプロファイルの紙種情報との組み合わせに基づいて、前記明度補正量を決定する請求項１〜３の何れか一項に記載の画像処理装置。
【請求項５】
前記制御部は、前記ソースプロファイルの紙種情報を予め定められた紙種分類のうちの何れかに分類し、前記デスティネーションプロファイルの紙種情報を予め定められた紙種分類のうちの何れかに分類し、前記分類された２つの紙種分類の組み合わせに基づいて、前記明度補正量を決定する請求項１〜３の何れか一項に記載の画像処理装置。
【請求項６】
前記制御部は、前記決定された明度補正量に基づいて入力画像のＬ＊ａ＊ｂ＊値のうちＬ＊値を補正し、補正されたＬ＊及びａ＊ｂ＊値をＣＭＹＫ値に変換することにより、入力画像の明度を補正する請求項１〜５の何れか一項に記載の画像処理装置。
【請求項７】
前記制御部は、入力画像のＬ＊ａ＊ｂ＊値をＸＹＺ値に変換し、前記決定された明度補正量に基づいてＹ値を変更し、Ｙ値の変更量に応じてＸ値及びＺ値を変更し、変更されたＸＹＺ値をＬ＊ａ＊ｂ＊値に再変換することにより、入力画像の明度及び彩度を補正する請求項１〜６の何れか一項に記載の画像処理装置。
【請求項８】
前記ソースプロファイルは、表色系をＣＭＹＫ値からＬ＊ａ＊ｂ＊値に変換するデバイスプロファイル又はＲＧＢ値からＬ＊ａ＊ｂ＊値に変換するデバイスプロファイルである請求項１〜７の何れか一項に記載の画像処理装置。
【請求項９】
前記制御部は、前記ソースプロファイルと前記デスティネーションプロファイルからデバイスリンクプロファイルを作成する請求項１〜８の何れか一項に記載の画像処理装置。
【請求項１０】
前記ソースプロファイルの紙種情報及び前記デスティネーションプロファイルの紙種情報を入力するための操作部と、
前記操作部により入力する際の設定画面を表示する表示部と、を備え、
前記制御部は、前記操作部により入力された紙種情報を前記ソースプロファイル又は前記デスティネーションプロファイルの紙種情報として設定する請求項１〜９の何れか一項に記載の画像処理装置。
【請求項１１】
ソースプロファイルを用いて入力画像の表色系をＬ＊ａ＊ｂ＊値に変換し、デスティネーションプロファイルを用いてＬ＊ａ＊ｂ＊値をＣＭＹＫ値に変換し、変換されたＣＭＹＫ値を出力画像の表色系とする画像処理方法であって、
制御部により、前記ソースプロファイルの紙種情報及び前記デスティネーションプロファイルの紙種情報に基づいて明度補正量を決定し、決定された明度補正量に基づいて入力画像の明度を補正し、明度が補正された入力画像を出力画像として出力する工程、を含む画像処理方法。
【請求項１２】
前記制御部により、前記決定された明度補正量に基づいて入力画像の明度及び彩度を補正し、明度及び彩度が補正された入力画像を出力画像として出力する工程、を含む請求項１１に記載の画像処理方法。
【請求項１３】
ソースプロファイルを用いて入力画像の表色系をＬ＊ａ＊ｂ＊値に変換し、デスティネーションプロファイルを用いてＬ＊ａ＊ｂ＊値をＣＭＹＫ値に変換し、変換されたＣＭＹＫ値を出力画像の表色系とする画像処理装置のコンピュータに、
前記ソースプロファイルの紙種情報及び前記デスティネーションプロファイルの紙種情報に基づいて明度補正量を決定し、決定された明度補正量に基づいて入力画像の明度を補正し、明度が補正された入力画像を出力画像として出力する機能、を制御部により実現させるためのプログラム。
【請求項１４】
前記決定された明度補正量に基づいて入力画像の明度及び彩度を補正し、明度及び彩度が補正された入力画像を出力画像として出力する機能、を制御部により実現させるための請求項１３に記載のプログラム。
【発明の詳細な説明】
【技術分野】
【０００１】
本発明は、画像処理装置、画像処理方法及びプログラムに関する。
【背景技術】
【０００２】
従来、異なるデバイス間における画像の色再現を同等にしようとしたとき、各デバイス特有の色特性を考慮して画像データの色を調整する必要がある。このようなとき、画像データの色調整には、画像処理装置を用いて入力画像を出力デバイスに適するように色変換し、出力画像を得ることが行われる。
例えばオフセット印刷物の色をターゲットとし、ターゲットの色と同様の色の画像をプリンタで出力しようとする場合、または、パソコンなどのモニタ上での色をターゲットとし、ターゲットの色と同様の色の画像をプリンタで出力しようとする場合などが挙げられる。
【０００３】
オフセット印刷物の色をターゲットとしてターゲットの色と同様の色の画像をプリンタで出力する場合、ターゲットの色に合わせて色調整してプリンタで出力する処理が行われるが、このときプリンタの出力画像はターゲット画像に対して眠い軟調な画像に見えたり、逆にメリハリのつきすぎた硬調な画像に見えたりすることがある。
また、モニタ上の色をターゲットとしてターゲットの色と同様の色の画像をプリンタで出力する場合も同様である。すなわち、一般的に配布されている表色系の値と対応付けられたRGBプロファイル（sRGB（国際電気標準会議（IEC）が定めた国際標準規格）など）をソースプロファイルとし、プリンタのデバイスプロファイルを用いて色調整してプリンタの出力画像を得た場合、前記ソースプロファイルをモニタプロファイルとしてモニタ上に表示した画像に対し、出力画像は眠い軟調な画像に見えたり、逆にメリハリのつきすぎた硬調な画像に見えたりすることがある。
画像処理装置で階調性を調整する方法については、これまで下記に記載の技術が存在する。
【０００４】
特許文献１には、カラーネガフィルムの画像をフィルムスキャナに取り込むときの色調整方法において、撮影時に得られたＲＧＢ値の各輝度を軟調又は硬調に補正することにより、良好な出力画像の取得を図る技術が開示されている。
【０００５】
特許文献２には、ＲＧＢ値をＬ＊ａ＊ｂ＊値に変換し、変換されたＬ＊ａ＊ｂ＊値をＣＹＭＫ値に変換する色調整方法において、カメラのフラッシュ撮影により得られたＲＧＢ値を標準撮影により得られるＲＧＢ値よりも明るめの明度階調となるようにＬ＊ａ＊ｂ＊値に変換し、明るめの明度階調に変換されたＬ＊ａ＊ｂ＊値をＣＭＹＫ値に変換することにより、再現性の高い出力画像の取得を図る技術が開示されている。
【先行技術文献】
【特許文献】
【０００６】
【特許文献１】特開平７−３３６５３９号公報
【特許文献２】特開２００４−３４３８０９号公報
【発明の概要】
【発明が解決しようとする課題】
【０００７】
しかし、特許文献１に記載の技術では、ＲＧＢ値の各輝度をそれぞれ個別に補正するため、ＲＧＢの各色を重ね合わせた色（例えば、グレー色）の色調は考慮されない。よって、出力画像全体では色調バランスを欠き、色再現性に優れた出力画像を得ることはできない。
【０００８】
また、特許文献２に記載の技術では、フラッシュ撮影画像のときには標準画像であるときより明るめの明度階調とするように色変換手段のパラメータを決定するものである。これは、フラッシュ撮影画像のときに特化した階調性の調整であり、プリンタで用いられる用紙の種類（以下、「紙種」と記載する）の条件による階調性の調整については、記載されていない。
【０００９】
ターゲットの紙種とプリンタで用いられる紙種とが異なる場合にも、ターゲット画像に対してプリンタの出力画像は眠い軟調な画像に見えたり、逆にメリハリのつきすぎた硬調な画像に見えたりすることがある。これは、同じ測色値であっても用紙の表面性の違いにより見た目の濃度が異なることで、階調性が異なって見えるためである。
【００１０】
ターゲットの紙種とプリンタの紙種が同じであれば問題はないが、紙種は多種存在し、ターゲットの紙種も多様である一方、プリンタで使用可能な紙種は機種性能や経費節減等の観点から数種類に限定される場合が多い。そのため、ターゲットの紙種とプリンタで用いられる紙種が異なることが多々ある。
【００１１】
一般的に配布されている表色系の値と対応付けられたRGBプロファイル（sRGB（国際電気標準会議（IEC））など）をソースプロファイルとし、プリンタのデバイスプロファイルを用いて色調整してプリンタの出力画像を得る場合に、前記ソースプロファイルをモニタプロファイルとしてモニタ上に表示した画像に対し、プリンタで使用する紙種によって、出力画像の印象（階調性）が異なる場合がある。すなわち、プリンタで用いられる紙種によっては、出力画像はモニタ上に表示した画像よりも軟調な画像又は硬調な画像に見える場合がある。
既述したように色成分（ＲＧＢ値またはＣＭＹＫ値）のトーンカーブを各色ごとに調整しても出力画像の階調性は改善されるが色調バランスを欠き、色再現性に優れた出力画像を得ることはできない。
【００１２】
本発明の課題は、ターゲットの紙種とプリンタの紙種の違いによる見た目の階調性のずれを、色調バランスを保持したまま、簡易に調整することができ、見た目の階調性が良好な最適なプリンタ出力画像を得る画像処理装置、画像処理方法及びプログラムを提供することである。
また、一般的に配布されているRGBプロファイルをソースプロファイルとして使用する際に、プリンタの紙種の違いによる見た目の階調性のずれを、色調バランスを保持したまま、簡易に調整することができ、モニタ上に表示した画像から想定した見た目の階調性が再現された最適なプリンタ出力画像を得る画像処理装置、画像処理方法及びプログラムを提供することである。
【課題を解決するための手段】
【００１３】
本発明によれば、ソースプロファイルを用いて入力画像の表色系をＬ＊ａ＊ｂ＊値に変換し、デスティネーションプロファイル（プリンタプロファイル）を用いてＬ＊ａ＊ｂ＊値をＣＭＹＫ値に変換し、変換されたＣＭＹＫ値を出力画像の表色系とする画像処理装置であって、
前記ソースプロファイルの紙種情報及び前記デスティネーションプロファイルの紙種情報に基づいて明度補正量を決定し、決定された明度補正量に基づいて入力画像の明度を補正し、明度が補正された入力画像を出力画像として出力する制御部、を備えた画像処理装置が提供される。
【００１４】
また、本発明によれば、ソースプロファイルを用いて入力画像の表色系をＬ＊ａ＊ｂ＊値に変換し、デスティネーションプロファイル（プリンタプロファイル）を用いてＬ＊ａ＊ｂ＊値をＣＭＹＫ値に変換し、変換されたＣＭＹＫ値を出力画像の表色系とする画像処理方法であって、
制御部により、前記ソースプロファイルの紙種情報及び前記デスティネーションプロファイルの紙種情報に基づいて明度補正量を決定し、決定された明度補正量に基づいて入力画像の明度を補正し、明度が補正された入力画像を出力画像として出力する工程、を含む画像処理方法が提供される。
【００１５】
また、本発明によれば、ソースプロファイルを用いて入力画像の表色系をＬ＊ａ＊ｂ＊値に変換し、デスティネーションプロファイルを用いてＬ＊ａ＊ｂ＊値をＣＭＹＫ値に変換し、変換されたＣＭＹＫ値を出力画像の表色系とする画像処理装置のコンピュータに、
前記ソースプロファイルの紙種情報及び前記デスティネーションプロファイルの紙種情報に基づいて明度補正量を決定し、決定された明度補正量に基づいて入力画像の明度を補正し、明度が補正された入力画像を出力画像として出力する機能を制御部により実現させるためのプログラムが提供される。
【発明の効果】
【００１６】
本発明によれば、ターゲットの紙種及びプリンタで用いる紙種に応じて入力画像の明度を補正することにより、ターゲットの紙種とプリンタで用いられる紙種とが異なる場合であっても、色調バランスが保持され、且つ階調性の良好な再現性の優れた出力画像を得ることができる。
また、一般的に配布されているRGBプロファイルをソースプロファイルとして使用する際においても、プリンタの紙種に応じて入力画像の明度を補正することにより、モニタ上に表示した画像から想定した色調バランスが保持され、且つ階調性の良好な再現性の優れた出力画像を得ることができる。
【図面の簡単な説明】
【００１７】
【図１】画像処理システムのブロック図を示す。
【図２】画像処理装置の機能ブロック図を示す。
【図３】ＣＭＹＫカラーチャートの一例を示す。
【図４】ソースプロファイル作成処理を示すフロー図である。
【図５】デスティネーションプロファイル作成処理を示すフロー図である。
【図６】第１のデバイスリンクプロファイル作成処理を示すフロー図である。
【図７】第１のデバイスリンクプロファイル作成処理を実行する際の設定画面である。
【図８】レンダリングインテントの設定画面である。
【図９】ソースプロファイルの紙種の設定画面である。
【図１０】デスティネーションプロファイルの紙種の設定画面である。
【図１１】紙種分類表を示す図である。
【図１２】紙種分類対応表を示す図である。
【図１３】明度補正ＬＵＴ選択表を示す図である。
【図１４】明度補正ＬＵＴを示す図である。
【図１５】明度補正ＬＵＴを示す図である。
【図１６】明度補正ＬＵＴを示す図である。
【図１７】明度補正ＬＵＴを示す図である。
【図１８】第２のデバイスリンクプロファイル作成処理を示すフロー図である。
【図１９】第３のデバイスリンクプロファイル作成処理を示すフロー図である。
【図２０】第４のデバイスリンクプロファイル作成処理を示すフロー図である。
【発明を実施するための形態】
【００１８】
本実施形態における画像処理装置の構成及び動作について、又はプログラムの処理内容について、図面を用いて詳細に説明する。なお、本実施形態は一例であり、本発明はこれに限定されるものではない。
【００１９】
〔第１の実施形態〕
第１の実施形態では、ターゲットが印刷媒体である場合について説明する。
図１に、画像処理システム１００のブロック図を示す。
画像処理システム１００は、測色機１、画像処理装置２、プリンタ３を備えて構成され、それぞれデータ通信可能に接続される。
【００２０】
測色機１は、分光光度計等（図示省略）を備えて構成され、画像処理装置２に接続される。測色機１は、プリンタ３により出力されたＣＭＹＫカラーチャート（例えばISO12642規格）を測色する。これにより、前記ＣＭＹＫカラーチャートの各々のパッチのＣＭＹＫ値に対応するＬ＊ａ＊ｂ＊値を画像処理装置２が取得する。
【００２１】
画像処理装置２は、制御部２１、表示部２２、操作部２３、記憶部２４等を備えて構成され、測色機１及びプリンタ３に接続される。
【００２２】
制御部２１は、ＣＰＵ２１１、ＲＡＭ２１２、ＲＯＭ２１３を備えて構成される。
ＣＰＵ２１１は、ＲＯＭ２１３に記憶されている各種プログラムをＲＡＭ２１２に展開し、ＲＡＭ２１２に展開された各種プログラムとの協働により、画像処理装置２の動作を統括的に制御する。
【００２３】
表示部２２は、ＬＣＤや有機ＥＬディスプレイ等を備えて構成され、制御部２１からの制御信号に基づいて各種設定画面等を表示する。
【００２４】
操作部２３は、数字キーや文字キー等の各種キーを備えて構成され、各種キーが押下されると、押下されたキーに応じた操作信号を制御部２１に出力する。
【００２５】
記憶部２４は、不揮発メモリ等を備えて構成され、各種のプログラム、プロファイル、テーブル、データ等を記憶する。
【００２６】
画像処理装置２は、各部（２１〜２４）により入力画像に対して画像処理し、画像処理された出力画像をプリンタ３に出力する。また、画像処理装置２は、本実施形態における色調整のためのデバイスリンク作成処理を行う（図６、図１８、図１９、図２０参照）。
【００２７】
プリンタ３は、エンジン制御部等（図示省略）を備えて構成され、画像処理装置２に接続される。エンジン制御部は、プリンタ３の各構成部（例えば、給紙部や画像形成部等。何れも図示省略）の駆動制御を行う。例えばエンジン制御部は、給紙部を駆動して白紙の用紙を所定の搬送路に搬送し、画像形成部を駆動して画像処理装置２からの出力画像を搬送されてきた用紙に形成する一連の動作を制御する。
【００２８】
図２に、画像処理装置２の機能ブロック図を示す。
画像処理装置２の各部（２１〜２４）の構成については既述した構成（図１参照）と同様であるためここでの説明は省略する。
以下、記憶部２４に記憶されるプロファイルの作成処理及び制御部２１による色調整処理等について順に説明する。
【００２９】
ここで、「プロファイル」とは、ＣＭＳ（カラーマネジメントシステム）において、デバイス依存の色空間の特性を記述したデバイスプロファイルである。「デバイスプロファイル」とは、デバイス依存のプロファイルであって、例えばスキャナやデジカメ等の入力デバイスプロファイル、モニタやプロジェクタ等の表示デバイスプロファイル、プリンタ等の出力デバイスプロファイルがある。
本実施形態では、プロファイルとしてソースプロファイルＰ１及びＰ１１、デスティネーションプロファイルＰ２、デバイスリンクプロファイルＰ３、Ｐ３１、Ｐ４、Ｐ４１が記憶部２４に記憶される。
【００３０】
「ソースプロファイルＰ１」は、ターゲットを生成するデバイス（以下、「ターゲットデバイス」と記載する）のデバイスプロファイルであり、ＣＭＹＫ値をＬ＊ａ＊ｂ＊値に変換するために用いられるＣＭＹＫ→Ｌ＊ａ＊ｂ＊ＬＵＴを含んで構成されるプロファイルである。
【００３１】
なお、ここで述べる「ターゲット」とは、ユーザが再現したい色又は再現したい色が形成された媒体をいい、例えばオフセット印刷物やこれに形成された色をいう。
【００３２】
「ソースプロファイルＰ１１」は、第３の実施形態で用いられ、表色系がＲＧＢ値であるデバイスをターゲットとするデバイスプロファイルであり、ＲＧＢ値をＬ＊ａ＊ｂ＊値に変換するために用いられるＲＧＢ→Ｌ＊ａ＊ｂ＊ＬＵＴを含んで構成されるプロファイルである。第３の実施形態では、ソースプロファイルＰ１１として国際電機標準会議（ＩＥＣ）により定められたｓＲＧＢが用いられる。
【００３３】
「デスティネーションプロファイルＰ２」は、Ｌ＊ａ＊ｂ＊値をＣＭＹＫ値に変換するために用いられるＬ＊ａ＊ｂ＊→ＣＭＹＫＬＵＴを含んで構成されるプロファイルであって、プリンタ３のデバイスプロファイルである。
【００３４】
「デバイスリンクプロファイルＰ３」及び「デバイスリンクプロファイルＰ３１」は、ソースプロファイルＰ１とデスティネーションプロファイルＰ２から作成されるＣＭＹＫ→ＣＭＹＫＬＵＴである。デバイスリンクプロファイルＰ３（Ｐ３１）を作成しておけば、ソースプロファイルＰ１（Ｐ１１）とデスティネーションプロファイルＰ２から色変換処理をするよりも処理時間が短くなる利点がある。
【００３５】
「デバイスリンクプロファイルＰ４」及び「デバイスリンクプロファイルＰ４１」は、第３の実施形態で用いられるプロファイルであり、ソースプロファイルＰ１１とデスティネーションプロファイルＰ２から作成されるＲＧＢ→ＣＭＹＫＬＵＴである。
【００３６】
ソースプロファイルＰ１を作成する前提として、ターゲットデバイスによりＣＭＹＫカラーチャートを形成しておき、測色機１でＣＭＹＫカラーチャートを測色することにより、各々のＣＭＹＫ値に対応したＬ＊ａ＊ｂ＊値を取得しておく。
デスティネーションプロファイルＰ２についても同様に、プリンタ３によりＣＭＹＫカラーチャートを出力し、測色機１でＣＭＹＫカラーチャートを測色することにより、各々のＣＭＹＫ値に対応したＬ＊ａ＊ｂ＊値を取得しておく。
【００３７】
図３に、ＣＭＹＫカラーチャートＥ１の一例を示す。
ＣＭＹＫカラーチャートＥ１は、ＣＭＹＫの全色空間に亘ってＣ、Ｍ、Ｙ、Ｋの４色を組み合わせたカラーパッチを多数配置したカラーチャートで、ＣＭＹＫ値のそれぞれを最小値から最大値の範囲（０〜２５５）において、例えば０、６４、１２８、１９１、２５５を基準にして４等分し、Ｃ×Ｍ×Ｙ×Ｋ：５×５×５×５＝６２５の組み合わせのカラーパッチを配置したものである。
【００３８】
ＣＭＹＫカラーチャートＥ１は、ターゲットデバイスのオフセット印刷により例えばコート紙に形成され、印刷された前記カラーチャートの各パッチが測色機１により順番に測色される。測色により得られた各パッチのＣＭＹＫ値に対応したＬ＊ａ＊ｂ＊値は、ソースプロファイル作成処理（図４参照）に用いられる。
また、ＣＭＹＫカラーチャートＥ１は、プリンタ３により例えば普通紙に形成され、測色機１により測色され、測色により得られた各パッチのＣＭＹＫ値に対応したＬ＊ａ＊ｂ＊値は、デスティネーションプロファイル作成処理（図５参照）に用いられる。
【００３９】
図４を参照して、ソースプロファイル作成処理について説明する。
図４のソースプロファイル作成処理では、ターゲットデバイスはオフセット印刷機、ターゲットの紙種はコート紙、ターゲットはＣＭＹＫカラーチャートＥ１（図３参照）である。
【００４０】
制御部２１は、測色機１からＣＭＹＫカラーチャートＥ１のＬ＊ａ＊ｂ＊値を取得し（ステップＳ１）、取得されたＬ＊ａ＊ｂ＊値に基づいて、ＣＭＹＫ→Ｌ＊ａ＊ｂ＊ＬＵＴを作成する（ステップＳ２）。
制御部２１は、ＣＭＹＫ→Ｌ＊ａ＊ｂ＊ＬＵＴをソースプロファイルＰ１に含ませることにより、本処理を終了する。
ＣＭＹＫ→Ｌ＊ａ＊ｂ＊ＬＵＴの作成方法について、下記に簡潔に記載する。
【００４１】
〔ＣＭＹＫ→Ｌ＊ａ＊ｂ＊ＬＵＴの作成方法〕
制御部２１は、まず、Ｃ、Ｍ、Ｙ、Ｋ値それぞれを最小値から最大値の範囲（０〜２５５）において、０、６４、１２８、１９１、２５５を基準にして４等分し、Ｃ×Ｍ×Ｙ×Ｋ：５×５×５×５＝６２５の組み合わせのカラーパッチを測色することにより、各々のパッチに対応するＬ＊ａ＊ｂ＊を得る。次に、Ｃ×Ｍ×Ｙ×Ｋの組み合わせ：５×５×５×５を９×９×９×９に拡張する。各Ｃ、Ｍ、Ｙ、Ｋについて、４等分された各範囲（０〜６４、６４〜１２８、１２８〜１９１、１９１〜２５５）の間の値（例えば、中間値）を取る。説明の便宜上、４等分された各範囲の間の値をＰ１〜Ｐ４と記載する。制御部２１は、測色機１から取得された６２５通りのＬ＊ａ＊ｂ＊値からＰ１〜Ｐ４に対応するＬ＊ａ＊ｂ＊値を算出し、それぞれ５通りのＣＭＹＫ値を９通りに拡張する。これにより、Ｃ×Ｍ×Ｙ×Ｋ：９×９×９×９＝６５６１通りの入力点に対応するＬ＊ａ＊ｂ＊値を備えたＣＭＹＫ→Ｌ＊ａ＊ｂ＊ＬＵＴを作成する。
なお、ここでのＣＭＹＫ→Ｌ＊ａ＊ｂ＊ＬＵＴの作成方法は、例えば特開２００５−６３１６８号公報に開示されている。
【００４２】
図５を参照して、デスティネーションプロファイル作成処理について説明する。
図５のデスティネーションプロファイル作成処理では、デバイスはプリンタ３、プリンタ３で用いる紙種は普通紙、出力画像はＣＭＹＫカラーチャートＥ１（図３参照）である。
【００４３】
制御部２１は、測色機１からＣＭＹＫカラーチャートＥ１のＬ＊ａ＊ｂ＊値を取得し（ステップＳ１１）、取得されたＬ＊ａ＊ｂ＊値に基づいて、ＣＭＹＫ→Ｌ＊ａ＊ｂ＊ＬＵＴを作成する（ステップＳ１２）。
制御部２１は、ステップＳ１２で作成したＣＭＹＫ→Ｌ＊ａ＊ｂ＊ＬＵＴを用いて、Ｌ＊ａ＊ｂ＊→ＣＭＹＫＬＵＴを作成する（ステップＳ１３）。
制御部２１は、Ｌ＊ａ＊ｂ＊→ＣＭＹＫＬＵＴをデスティネーションプロファイルに含ませることにより、本処理を終了する。
【００４４】
ＣＭＹＫ→Ｌ＊ａ＊ｂ＊ＬＵＴの作成方法については、図４で説明した方法と同様であるためここでの説明は省略する。
Ｌ＊ａ＊ｂ＊→ＣＭＹＫＬＵＴの作成方法について、下記に記載する。
【００４５】
〔Ｌ＊ａ＊ｂ＊→ＣＭＹＫＬＵＴの作成方法〕
Ｌ＊ａ＊ｂ＊→ＣＭＹＫＬＵＴの作成は、４段階の処理により行われる。
第１段階として、制御部２１は、ＣＭＹＫ→Ｌ＊ａ＊ｂ＊ＬＵＴのＣ×Ｍ×Ｙ×Ｋ：９×９×９×９に対応するＬ＊ａ＊ｂ＊値をＣ×Ｍ×Ｙ：９×９×９に対応するＬ＊ａ＊ｂ＊値に変換する。すなわち、４次元データを３次元データに変換する。具体的には、ＣＭＹの最小値からなるグレー成分を強調するために加えられるＫ値を求め、各ＣＭＹ値の組み合わせにそのＫ値を加えた場合のＬ＊ａ＊ｂ＊値をＣＭＹ値の各組み合わせに対応するＬ＊ａ＊ｂ＊値として定義する。
【００４６】
第２段階として、制御部２１は、Ｃ×Ｍ×Ｙ：９×９×９の３次元データを用いてＬ＊ａ＊ｂ＊→ＣＭＹＫＬＵＴを作成する。作成方法として、制御部２１は、Ｃ×Ｍ×Ｙ：９×９×９＝７２９の値を格子点とみなしてＣＭＹの３次元空間（以下、「ＣＭＹ空間」と記載する）を分割するとともに、このＣＭＹ空間をＬ＊ａ＊ｂ＊表色系の３次元空間に写像する（以下、写像されたＣＭＹ空間の像を「ＣＭＹ空間像」と記載する）。また、Ｃ×Ｍ×Ｙの格子点の上記写像による像を「格子点像」と呼ぶこととする。
【００４７】
制御部２１は、ＣＭＹ空間像内に（格子点像と一致しない）目標値Ｔ´を取る。目標値Ｔ´は格子状に分割されたＣＭＹ空間像内のある領域Ｒ´に存在する。領域Ｒ´は、８つの格子点像を頂点としている。このとき、目標値Ｔ´に対応するＣＭＹ空間の点Ｔは、８つの格子点像に対応する８つの格子点に囲まれた領域Ｒに存在すると推定される。点Ｔが領域Ｒの何処に位置するかは、ＣＭＹ空間とＬ＊ａ＊ｂ＊表色系の空間との対応関係に基づく収束演算処理により求められる。制御部２１は、この収束演算処理により、領域Ｒ及び領域Ｒ´を段階的に分割し、各段階における分割領域のうちどの分割領域に点Ｔ及び目標値Ｔ´が含まれているか判断する。なお、このような収束演算処理に依存しなければならないのは、ＣＭＹ座標系からＬ＊ａ＊ｂ＊表色系の空間への変換式が既知であるのに対し、その逆の変換を表す適当な変換式が未だ知られていないためである。
【００４８】
制御部２１は、Ｌ＊ａ＊ｂ＊表色系の空間の目標値Ｔ´がＣＭＹ空間像（すなわち、色再現範囲）の外に位置する場合、この目標値Ｔ´を無彩色方向にＣＭＹ空間像の境界位置まで移動させ、この境界位置を色再現する目標値と定義する。これにより、厳密に再現することができない色をその色に可能な限り近い色として出力することができる。
【００４９】
制御部２１は、このような収束演算処理により、Ｌ＊ａ＊ｂ＊：３３×３３×３３＝３５９３７通りのＬＵＴ入力点に対応するＣＭＹの値を求める。なお、Ｌ＊は０〜１００、ａ＊は−１２７〜１２８、ｂ＊は−１２７〜１２８の範囲に定義されている。なお、上述してきた収束演算処理の他、例えば特許２８９５０８６号に記載の補間方法を用いてもよい。
【００５０】
第３段階として、制御部２１は、第２段階で求めたＬ＊ａ＊ｂ＊：３３×３３×３３のＬＵＴ入力点に対応するＣＭＹの値に基づいて、Ｋ値を計算する。
【００５１】
第４段階として、制御部２１は、第２段階で求めたＬ＊ａ＊ｂ＊：３３×３３×３３のＬＵＴ入力点に対応するＣＭＹの値及び第３段階で求めたＫ値に基づいて、各入力点に対応するＣＭＹＫの値を求め、これによりＬ＊ａ＊ｂ＊→ＣＭＹＫＬＵＴを作成する。なお、上記説明してきたＬ＊ａ＊ｂ＊→ＣＭＹＫＬＵＴの作成方法は、例えば特開２００５−６３１６８号公報に開示されている。
【００５２】
図６を参照して、第１のデバイスリンクプロファイル作成処理について説明する。
図６に示す第１のデバイスリンクプロファイル作成処理によれば、ソースプロファイルＰ１に含まれるＣＭＹＫ→Ｌ＊ａ＊ｂ＊ＬＵＴ及びデスティネーションプロファイルＰ２に含まれるＬ＊ａ＊ｂ＊→ＣＭＹＫＬＵＴからデバイスリンクプロファイルＰ３を作成することができ、高速に色変換を行うことができる。
【００５３】
図６に示す処理が行われる前提として、制御部２１はデバイスリンクプロファイルＰ３の作成に際して各種設定画面を表示部２２に表示する。
【００５４】
図７に、第１のデバイスリンクプロファイル作成処理を実行する際の設定画面を示す。
設定画面Ｄ１は、領域Ｒ１及びＲ２、ボタンＢ１〜Ｂ４を備えて構成される。
【００５５】
領域Ｒ１は、ソースプロファイルＰ１及びデスティネーションプロファイルＰ２の格納場所及びファイル名が表示される領域である。
領域Ｒ２は、デバイスリンクプロファイルＲ３のファイル名が表示される領域である。
【００５６】
ボタンＢ１は、記憶部２４に記憶されているソースプロファイルＰ１及びデスティネーションプロファイルＰ２を選択するためのボタンである。
また、ボタンＢ１は、レンダリングインテントを選択するためのボタンである。
【００５７】
図８に、レンダリングインテントの設定画面Ｄ２を示す。
設定画面Ｄ２は、測色的相対白色、測色的絶対白色、知覚、彩度の何れかを選択するためのラジオボタン、及びＯＫボタンを備えて構成される。図８では、「測色的相対白色」が選択された状態を示す。
【００５８】
ボタンＢ２は、ソースプロファイルＰ１及びデスティネーションプロファイルＰ２のそれぞれの紙種情報を設定するためのボタンである。
【００５９】
図９に、ソースプロファイルＰ１の紙種の設定画面Ｄ３を示す。
設定画面Ｄ３は、アート紙、コート紙、マットコート紙、普通紙、上質紙の何れかを選択するためのラジオボタン、及びＯＫボタンを備えて構成される。図９では、「コート紙」が選択された状態を示す。この状態でＯＫボタンが押下されると、ソースプロファイルＰ１の紙種情報としてコート紙が設定される。これにより、ターゲットはコート紙であるものとして、デバイスリンクプロファイル作成処理（図６参照）が実行される。
【００６０】
図１０に、デスティネーションプロファイルＰ２の紙種の設定画面Ｄ４を示す。
設定画面Ｄ４は、設定画面Ｄ３と同様に、アート紙、コート紙、マットコート紙、普通紙、上質紙の何れかを選択するためのラジオボタン、及びＯＫボタンを備えて構成される。図１０では、「普通紙」が選択された状態を示す。この状態でＯＫボタンが押下されると、デスティネーションプロファイルＰ２の紙種情報として普通紙が設定される。これにより、プリンタ３で用いられる紙種は普通紙であるものとして、デバイスリンクプロファイル作成処理（図６参照）が実行される。
【００６１】
図７に戻り、ボタンＢ３は、デバイスリンクプロファイルの計算を実行するためのボタンである。ボタンＢ３が押下されると、ソースプロファイルＰ１、デスティネーションプロファイルＰ２及び紙種情報等に基づいて、制御部２１によりデバイスリンクプロファイル作成処理（図６参照）が実行される。
【００６２】
ボタンＢ４は、領域Ｒ２に表示されるデバイスリンクプロファイルＰ３のファイル名にて記憶部２４に記憶させるために押下するボタンである。前記デバイスリンクプロファイル名は領域Ｒ２に直接書き込むことにより任意に設定することが可能である。
【００６３】
設定画面Ｄ２〜Ｄ４において各種設定がなされ、かつ、設定画面Ｄ１において各種設定がなされた上でボタンＢ３が押下されると、制御部２１は第１のデバイスリンク作成処理（図６参照）を開始する。
【００６４】
図６に戻り、制御部２１は、ソースプロファイルＰ１に含まれるＣＭＹＫ→Ｌ＊ａ＊ｂ＊ＬＵＴを用いて、ターゲットデバイスの出力色全てについてＣＭＹＫ値をＬ＊ａ＊ｂ＊値に変換する（ステップＳ２１）。
【００６５】
例えば制御部２１は、ターゲットデバイスの出力色がＣ×Ｍ×Ｙ×Ｋ：２１×２１×２１×２１＝１９４４８１通りである場合、１９４８１通りのＣＭＹＫ値全てをＬ＊ａ＊ｂ＊値に変換する。
【００６６】
制御部２１は、紙種分類表を参照して、ソースプロファイルＰ１のターゲットの紙種分類を決定する（ステップＳ２２）。
【００６７】
図１１に、紙種分類表Ｌ１を示す。
紙種分類表Ｌ１は、紙種を表面性の違いによって分類した分類表である。紙種分類表Ｌ１によれば、分類ＣＬ１にはアート紙及びコート紙が含まれ、分類ＣＬ２にはマットコート紙が含まれ、分類ＣＬ３には普通紙及び上質紙が含まれる。なお、本実施形態では分類数を３つにしたがこれに限らず、分類数は２つ以上であればよい。
本実施形態では、ソースプロファイルＰ１の紙種は「コート紙」であるから（図９参照）、制御部２１により紙種分類が「分類ＣＬ１」に決定される。
【００６８】
制御部２１は、紙種分類表Ｌ１を参照して、デスティネーションプロファイルＰ２のターゲットの紙種分類を決定する（ステップＳ２３）。
本実施形態では、デスティネーションプロファイルＰ２に含ませた紙種は「普通紙」であるから（図１０参照）、制御部２１により紙種分類が「分類ＣＬ３」に決定される。
【００６９】
制御部２１は、紙種分類対応表を参照して、紙種分類の組み合わせ記号を決定する（ステップＳ２４）。
【００７０】
図１２に、紙種分類対応表Ｌ２を示す。
紙種分類対応表Ｌ２は、ターゲットの紙種の紙種分類とプリンタ３で用いられる紙種の紙種分類との組み合わせに応じて組み合わせ記号を割り振った表である。
本実施形態では、ターゲットの紙種分類は「分類ＣＬ１」であり、プリンタ３で用いられる紙種の紙種分類は「分類ＣＬ３」であるから（図１１参照）、制御部２１により組み合わせ記号が「ＣＢ１３」に決定される。
【００７１】
制御部２１は、明度補正ＬＵＴ選択表を参照して、明度を補正するか否か判断する（ステップＳ２５）。
【００７２】
図１３に、明度補正ＬＵＴ選択表Ｌ３を示す。
明度補正ＬＵＴ選択表Ｌ３は、組み合わせ記号と明度補正量の異なる複数の明度補正ＬＵＴの何れかを対応付けた表である。
本実施形態では、組み合わせ記号が「ＣＢ１３」であるから（図１２参照）、制御部２１により明度補正ＬＵＴが「明度補正ＬＵＴ２」に決定される。なお、明度補正ＬＵＴがブランク「−」である場合（ＣＢ１１、ＣＢ２２、ＣＢ３３）、制御部２１により明度を補正しないものと判断される。
【００７３】
明度を補正しない場合（ステップＳ２５；Ｎ）、制御部２１は、ステップＳ２８に移行する。
【００７４】
明度を補正する場合（ステップＳ２５；Ｙ）、制御部２１は、明度補正ＬＵＴ選択表Ｌ３を参照して、明度補正ＬＵＴを決定する（ステップＳ２６）。
本実施形態では、明度補正ＬＵＴ２が決定される（図１３参照）。
【００７５】
制御部２１は、ステップＳ２５で決定された明度補正ＬＵＴを用いて、ステップＳ２１で変換されたＬ＊ａ＊ｂ＊値のち、明度に相当するＬ＊値を補正する（ステップＳ２７）。
【００７６】
図１４〜図１７に、明度補正ＬＵＴの例を示す。
図１４及び図１６に示す明度補正ＬＵＴは、階調を硬調にしたいときに用いられる明度補正ＬＵＴである。また、図１５及び図１７に示す明度補正ＬＵＴは、階調を軟調にしたいときに用いられる明度補正ＬＵＴである。また、図１６及び図１７に示す明度補正ＬＵＴは、プリンタ３の性能により出力画像のシャドー側がつぶれてしまい易いときに用いられる明度補正ＬＵＴである。
【００７７】
明度補正ＬＵＴは、組み合わせ記号に応じて（図１３参照）補正前後の明度差の幅を変更して適宜作成される。明度補正幅は、紙種分類の組み合わせの実測定と出力物の目視により導き出されることが望ましい。明度補正ＬＵＴ選択表（図１３参照）では、組み合わせ記号が「ＣＢ１１」、「ＣＢ２２」、「ＣＢ３３」のとき、補正なしで明度補正ＬＵＴは作成されない。組み合わせ記号「ＣＢ１２」、「ＣＢ１３」、「ＣＢ２３」のとき、階調を軟調にするために補正後の明度を補正前より上げる明度補正ＬＵＴが作成される（図１５、図１７参照）。組み合わせ記号「ＣＢ２１」、「ＣＢ３１」、「ＣＢ３２」のとき、階調を硬調にするために補正後の明度を補正前より下げる明度補正ＬＵＴが作成される（図１４、図１６参照）。
【００７８】
また、組み合わせ記号「ＣＢ１２」、「ＣＢ２３」よりも「ＣＢ１３」のときに補正前後の明度差の幅を大きくすることが望ましい。
また、組み合わせ記号「ＣＢ２１」、「ＣＢ３２」よりも「ＣＢ３１」のときに補正前後の明度差の幅を大きくすることが望ましい。
【００７９】
制御部２１は、デスティネーションプロファイルＰ２に含まれるＬ＊ａ＊ｂ＊→ＣＭＹＫＬＵＴを用いて、Ｌ＊値が補正されたＬ＊ａ＊ｂ＊をＣＭＹＫ値に変換する（ステップＳ２８）。
【００８０】
制御部２１は、ソースプロファイル側の組み合わせのＣ×Ｍ×Ｙ×Ｋ：２１×２１×２１×２１＝１９４４８１通りについて、デスティネーション側のＣＭＹＫの値を求めて、デバイスリンクプロファイルＰ３を作成する（ステップＳ２９）。
【００８１】
制御部２１は、デバイスリンクプロファイルＰ３を記憶部２４に記憶させることにより（ステップ３０）、本処理を終了する。
【００８２】
以上より、プリンタ３はデバイスリンクプロファイルＰ３を用いて、明度が補正され且つ色再現性の良い出力画像を用紙に形成することができる。なお、上記実施形態では、ソースプロファイルＰ１とデスティネーションプロファイルＰ２からデバイスリンクプロファイルＰ３を作成しているが、これに限らず、デバイスリンクプロファイルＰ３を作成することなく、ソースプロファイルＰ１とデスティネーションプロファイルＰ２を用いて２段階の変換処理を行ってもよい。
【００８３】
〔第２の実施形態〕
図１８を参照して、第２のデバイスリンクプロファイル作成処理について説明する。
図１８に示す第２のデバイスリンクプロファイル作成処理によれば、明度（Ｌ＊値）を補正することに加えて彩度も補正することにより、色調バランスをより確実に保持したまま色調整することができる。
【００８４】
なお、これより以下では第１のデバイスリンクプロファイル作成処理（図６参照）と重複する部分についての説明は省略し、異なる点を中心にして説明する。
【００８５】
制御部２１は、ＣＭＹＫ→Ｌ＊ａ＊ｂ＊ＬＵＴを用いて、ＣＭＹＫ値をＬ＊ａ＊ｂ＊値に変換する（ステップＳ３１）。
なお、ステップＳ３１は、図６のステップＳ２１と同様の処理である。
【００８６】
制御部２１は、Ｌ＊ａ＊ｂ＊値をＸＹＺ表色系の値に変換する（ステップＳ３１ａ）。
Ｌ＊ａ＊ｂ＊値をＸＹＺ値に変換するための変換式を式１に示す。
【００８７】
（式１）
Ｙｄ＝（Ｌ＊＋１６）／１１６
Ｘｄ＝ａ＊／５００＋Ｙｄ
Ｚｄ＝Ｙｄ−ｂ＊／２００
Ｘ／Ｘ０＝Ｘｄ＾３・・・（Ｘｄ≧０．２０６８９３の場合）、
＝（Ｘｄ−１６／１１６）／７．７８７・・・（Ｘｄが上記以外の場合）
Ｙ／Ｙ０＝Ｙｄ＾３・・・（Ｙｄ≧０．２０６８９３の場合）
＝（Ｙｄ−１６／１１６）／７．７８７・・・（Ｙｄが上記以外の場合）
Ｚ／Ｚ０＝Ｚｄ＾３（Ｚｄ≧０．２０６８９３の場合）、
＝（Ｚｄ−１６／１１６）／７．７８７・・・（Ｚｄが上記以外の場合）
なお、Ｘ０、Ｙ０、Ｚ０は、完全拡散反射面の三刺激値を示す。
【００８８】
制御部２１は、ソースプロファイルＰ１の紙種情報及びデスティネーションプロファイルＰ２の紙種情報に基づいて明度補正ＬＵＴを決定し、決定された明度補正ＬＵＴを用いてＬ＊値を補正する（ステップＳ３２〜Ｓ３７）。
なお、ステップＳ３２〜Ｓ３７は、図６のステップＳ２２〜２７と同様の処理である。
【００８９】
制御部２１は、Ｌ＊値の補正量に応じてＹ値を変更する（ステップＳ３７ａ）。
変更後のＹ値（以下、「Ｙ´値」と記載する）を求める方法としては、補正後の明度Ｌ＊の値（以下、「Ｌ＊´値」と記載する）を式２に代入して求める。
（式２）
Ｙｄ２＝（Ｌ＊´＋１６）／１１６
Ｙ´／Ｙ０＝Ｙｄ２＾３・・・（Ｙｄ２≧０．２０６８９３の場合）
＝（Ｙｄ´−１６／１１６）／７．７８７・・・（Ｙｄ2が上記以外の場合）
【００９０】
制御部２１は、Ｙ値の変更量に応じてＸ値及びＺ値を変更する（ステップＳ３７ｂ）。
変更後のＸ値及びＺ値（以下、「Ｘ´値」及び「Ｚ´値」と記載する）を求める方法としては、例えば上記式１及び下記式３を用いる。なお、式３は特開２００５−６３１６８号公報により公知であり、式３以外の他の方法によりＸ値及びＺ値をＸ´値及びＺ´値に変更するとしてもよい。
【００９１】
（式３）
Ｘ´／Ｘ０＝Ｘ／Ｘ０×｛（Ｙ´／Ｙ０）／（Ｙ／Ｙ０）｝
Ｚ´／Ｚ０＝Ｚ／Ｚ０×｛（Ｙ´／Ｙ０）／（Ｙ／Ｙ０）｝
【００９２】
制御部２１は、変更されたＸＹＺ値（以下、「Ｘ´Ｙ´Ｚ´値」と記載する）をＬ＊ａ＊ｂ＊値に変換して、明度及び彩度が補正されたＬ＊ａ＊ｂ＊値（以下、「Ｌ＊´ａ＊´ｂ＊´値」と記載する）を求める（ステップＳ３７ｃ）。
【００９３】
Ｘ´Ｙ´Ｚ´値からＬ＊´ａ＊´ｂ＊´値を求める方法として、上記式１、式２及び式３によりＸ´Ｙ´Ｚ´値を求め、これを下記式４によりＬ＊´ａ＊´ｂ＊´値を求める。
【００９４】
（式４）
Ｘｄ´＝（Ｘ´／Ｘ０）＾（１／３）・・・（Ｘ´／Ｘ０＞０．００８８５６の場合）、
＝（Ｘ´／Ｘ０）×７．７８７＋１６／１１６・・・（Ｘ´／Ｘ０が上記以外の場合）
Ｙｄ´＝（Ｙ´／Ｙ０）＾（１／３）・・・（Ｙ´／Ｙ０＞０．００８８５６の場合）、
＝（Ｙ´／Ｙ０）×７．７８７＋１６／１１６・・・（Ｙ´／Ｙ０が上記以外の場合）
Ｚｄ´＝（Ｚ´／Ｚ０）＾（１／３）・・・（Ｚ´／Ｚ０＞０．００８８５６の場合）、
＝（Ｚ´／Ｚ０）×７．７８７＋１６／１１６・・・（Ｚ´／Ｚ０が上記以外の場合）
Ｌ＊´＝Ｙｄ´×１１６−１６
ａ＊´＝５００×（Ｘｄ´−Ｙｄ´）
ｂ＊´＝２００×（Ｙｄ´−Ｚｄ´）
【００９５】
制御部２１は、デスティネーションプロファイルＰ２に含まれるＬ＊ａ＊ｂ＊→ＣＭＹＫＬＵＴを用いて、Ｌ＊ａ＊ｂ＊値をＣＭＹＫ値に変換する（ステップＳ３８）。
【００９６】
制御部２１は、ソースプロファイル側の組み合わせのＣ×Ｍ×Ｙ×Ｋ：２１×２１×２１×２１＝１９４４８１通りについて、デスティネーション側のＣＭＹＫの値を求めて、デバイスリンクプロファイルＰ３１を作成する（ステップＳ３９）。
【００９７】
制御部２１は、デバイスリンクプロファイルＰ３１を記憶部２４に記憶させることにより（ステップＳ４０）、本処理を終了する。
なお、ステップＳ３８〜Ｓ４０は、図６のステップＳ２８〜Ｓ３０と同様の処理である。
【００９８】
以上より、プリンタ３はデバイスリンクプロファイルＰ３１を用いて、明度とそれに合わせて彩度も補正されるため、色再現性のより良い出力画像を用紙に形成することができる。なお、上記実施形態では、ソースプロファイルＰ１とデスティネーションプロファイルＰ２からデバイスリンクプロファイルＰ３１を作成しているが、これに限らず、デバイスリンクプロファイルＰ３１を作成することなく、ソースプロファイルＰ１とデスティネーションプロファイルＰ２を用いて２段階の変換処理を行ってもよい。
【００９９】
〔第３の実施形態〕
第３の実施形態では、ターゲットが電子媒体である場合について説明する。すなわち、ターゲットデバイスがモニタ又はプロジェクタ等の表示デバイスであり、ソースプロファイルＰ１１が用いられる。
なお、第３の実施形態では第１の実施形態と重複する部分については説明を省略し、異なる点を中心にして説明する。
【０１００】
図１９を参照して、第３のデバイスリンクプロファイル作成処理について説明する。
図１９に示す第３のデバイスリンクプロファイル作成処理によれば、ソースプロファイルＰ１１に含まれるＲＧＢ→Ｌ＊ａ＊ｂ＊ＬＵＴ及びデスティネーションプロファイルＰ２に含まれるＬ＊ａ＊ｂ＊→ＣＭＹＫＬＵＴからデバイスリンクプロファイルＰ４を作成する。
【０１０１】
設定画面Ｄ２〜Ｄ４（図８〜図１０参照）において各種設定がなされ、かつ、設定画面Ｄ１（図７参照）においてボタンＢ３が押下されると、制御部２１は第３のデバイスリンク作成処理を開始する。
【０１０２】
ここで、ソースプロファイルＰ１１は表示デバイスプロファイルであり、具体的にはｓＲＧＢであるから「ターゲットの紙種」というものは存在しないが、紙種があるものと仮定して、仮定された紙種が設定画面Ｄ２（図９参照）を介して制御部２１により決定される。
【０１０３】
本実施形態では、仮定したターゲットの紙種が「アート紙」に決定され、プリンタ３で用いられる紙種が「マットコート紙」に決定された場合について説明する。
【０１０４】
制御部２１は、ソースプロファイルＰ１１に含まれるＲＧＢ→Ｌ＊ａ＊ｂ＊ＬＵＴを用いて、ターゲットデバイスのＲＧＢ色空間のＲ、Ｇ、Ｂ値を組み合わせた各色についてＲＧＢ値をＬ＊ａ＊ｂ＊値に変換する（ステップＳ４１ａ）。
【０１０５】
ターゲットデバイスのＲＧＢ色空間のＲ、Ｇ、Ｂ値の組み合わせがＲ×Ｇ×Ｂ：４１×４１×４１＝６８９２１通りである場合、６８９２１通りのＲＧＢ値が６８９２１通りのＬ＊ａ＊ｂ＊値に変換される。
【０１０６】
制御部２１は、紙種分類表Ｌ１（図１１参照）を参照して、ソースプロファイルＰ１１及びデスティネーションプロファイルＰ２のそれぞれの紙種分類を決定する（ステップＳ４２、Ｓ４３）。
【０１０７】
本実施形態では、仮定したターゲットの紙種は「アート紙」であるから、ソースプロファイルＰ１１の紙種分類は「分類ＣＬ１」に決定される。また、プリンタ３で用いられる紙種は「マットコート紙」であるから、デスティネーションプロファイルＰ２の紙種分類は「分類ＣＬ２」に決定される。
【０１０８】
制御部２１は、紙種分類対応表Ｌ２（図１２参照）を参照して、紙種分類の組み合わせ記号を決定する（ステップＳ４４）。
ターゲットの紙種分類は「分類ＣＬ１」、プリンタ３で用いられる紙種の紙種分類は「分類ＣＬ２」であるから、組み合わせ記号は「ＣＢ１２」に決定される。
【０１０９】
制御部２１は、明度を補正する場合（ステップＳ４５；Ｙ）、明度補正ＬＵＴ選択表Ｌ３（図１３参照）を参照して、明度補正ＬＵＴを決定する（ステップＳ４６）。
組み合わせ記号は「ＣＢ１２」であるから、明度補正ＬＵＴは「明度補正ＬＵＴ１」に決定される。
【０１１０】
制御部２１は、決定された明度補正ＬＵＴを用いてＬ＊値を補正する（ステップＳ４７）。
【０１１１】
制御部２１は、デスティネーションプロファイルＰ２に含まれるＬ＊ａ＊ｂ＊→ＣＭＹＫＬＵＴを用いてＬ＊ａ＊ｂ＊をＣＭＹＫ値に変換する（ステップＳ４８）。
【０１１２】
制御部２１は、ソースプロファイル側の組み合わせのＲ×Ｇ×Ｂ：４１×４１×４１＝６８９２１通りについて、デスティネーション側のＣＭＹＫの値を求めて、デバイスリンクプロファイルＰ４を作成する（ステップＳ４９）。
【０１１３】
制御部２１は、デバイスリンクプロファイルＰ４を記憶部２４に記憶させることにより（ステップＳＳ５０）、本処理を終了する。
なお、ステップＳ４２〜Ｓ５０は、図６のステップＳ２２〜Ｓ３０と同様の処理である。
【０１１４】
以上より、プリンタ３はデバイスリンクプロファイルＰ４を用いて、明度が補正され且つ色再現性の良い出力画像を用紙に形成することができる。なお、上記実施形態では、ソースプロファイルＰ１１とデスティネーションプロファイルＰ２からデバイスリンクプロファイルＰ４を作成しているが、これに限らず、デバイスリンクプロファイルＰ４を作成することなく、ソースプロファイルＰ１１とデスティネーションプロファイルＰ２を用いて２段階の変換処理を行ってもよい。
【０１１５】
〔第４の実施形態〕
図２０を参照して、第４のデバイスリンクプロファイル作成処理について説明する。
図２０に示す第４のデバイスリンクプロファイル作成処理によれば、明度（Ｌ＊値）を補正することに加えて彩度も補正することにより、色調バランスをより確実に保持したまま、色調整することができる。
【０１１６】
設定画面Ｄ２〜Ｄ４（図８〜図１０参照）において各種設定がなされ、かつ、設定画面Ｄ１（図７参照）においてボタンＢ３が押下されると、制御部２１は第４のデバイスリンク作成処理を開始する。
【０１１７】
なお、第４のデバイスリンクプロファイル作成処理においてもソースプロファイルＰ１１を用いることから、「ターゲットの紙種」というものは存在しないが、紙種があるものと仮定して、仮定された紙種が設定画面Ｄ２（図９参照）を介して制御部２１により決定される。また、仮定したターゲットの紙種が「アート紙」に決定され、プリンタ３で用いられる紙種が「マットコート紙」に決定された場合について説明する。
【０１１８】
制御部２１は、ソースプロファイルＰ１１に含まれるＲＧＢ→Ｌ＊ａ＊ｂ＊ＬＵＴを用いて、ターゲットデバイスのＲＧＢ色空間のＲ、Ｇ、Ｂ値を組み合わせた各色についてＲＧＢ値をＬ＊ａ＊ｂ＊値に変換する（ステップＳ５１ａ）。
【０１１９】
ターゲットデバイスのＲＧＢ色空間のＲ、Ｇ、Ｂ値の組み合わせがＲ×Ｇ×Ｂ：４１×４１×４１＝６８９２１通りである場合、６８９２１通りのＲＧＢ値が６８９２１通りのＬ＊ａ＊ｂ＊値に変換される。
【０１２０】
制御部２１は、Ｌ＊ａ＊ｂ＊値をＸＹＺ表色系の値に変換する（ステップＳ５１ｂ）。
Ｌ＊ａ＊ｂ＊値をＸＹＺ値に変換する方法として、上記式１を用いる。
【０１２１】
制御部２１は、紙種分類表Ｌ１（図１１参照）を参照して、ソースプロファイルＰ１１及びデスティネーションプロファイルＰ２のそれぞれに含ませる紙種分類を決定する（ステップＳ５２、Ｓ５３）。
【０１２２】
本実施形態では、仮定したターゲットの紙種は「アート紙」であるから、ソースプロファイルＰ１１に含ませる紙種分類は「分類ＣＬ１」に決定される。また、プリンタ３で用いられる紙種は「マットコート紙」であるから、デスティネーションプロファイルＰ２に含ませる紙種分類は「分類ＣＬ２」に決定される。
【０１２３】
制御部２１は、紙種分類対応表Ｌ２（図１２参照）を参照して、紙種分類の組み合わせ記号を決定する（ステップＳ５４）。
ターゲットの紙種分類は「分類ＣＬ１」、プリンタ３で用いられる紙種の紙種分類は「分類ＣＬ２」であるから、組み合わせ記号は「ＣＢ１２」に決定される。
【０１２４】
制御部２１は、明度を補正する場合（ステップＳ５５；Ｙ）、明度補正ＬＵＴ選択表Ｌ３（図１３参照）を参照して、明度補正ＬＵＴを決定する（ステップＳ５６）。
組み合わせ記号は「ＣＢ１２」であるから、明度補正ＬＵＴは「明度補正ＬＵＴ１」に決定される。
【０１２５】
制御部２１は、決定された明度補正ＬＵＴを用いてＬ＊値を補正する（ステップＳ５７）。
【０１２６】
制御部２１は、Ｌ＊値の補正量に応じてＹ値を変更する（ステップＳ５７ａ）。
Ｙ´値を求める方法としては、Ｌ＊´値を上記式２に代入して求める。
【０１２７】
制御部２１は、Ｙ値の変更量に応じてＸ値及びＺ値を変更する（ステップＳ５７ｂ）。
Ｘ´値及びＺ´値を求める方法としては、上記式１及び上記式３を用いる。
【０１２８】
制御部２１は、Ｘ´Ｙ´Ｚ´値をＬ＊ａ＊ｂ＊値に変換して、明度及び彩度が補正されたＬ＊ａ＊ｂ＊値を求める（ステップＳ５７ｃ）。
【０１２９】
Ｘ´Ｙ´Ｚ´値からＬ＊´ａ＊´ｂ＊´値を求める方法として、例えば上記式１、式２及び上記式３によりＸ´Ｙ´Ｚ´値を求め、これを上記式４によりＬ＊´ａ＊´ｂ＊´値を求める。
【０１３０】
制御部２１は、デスティネーションプロファイルＰ２に含まれるＬ＊ａ＊ｂ＊→ＣＭＹＫＬＵＴを用いて、求めたＬ＊ａ＊ｂ＊値をＣＭＹＫ値に変換する（ステップＳ５８）。
【０１３１】
制御部２１は、ソースプロファイル側の組み合わせのＲ×Ｇ×Ｂ：４１×４１×４１＝６８９２１通りについて、デスティネーション側のＣＭＹＫの値を求めて、デバイスリンクプロファイルＰ４１を作成する（ステップＳ５９）。
【０１３２】
制御部２１は、デバイスリンクプロファイルＰ４を記憶部２４に記憶させることにより（ステップＳＳ６０）、本処理を終了する。
なお、ステップＳ５２〜Ｓ５７及びステップＳ５８〜Ｓ６０は、図６のステップＳ２２〜Ｓ３０と同様の処理である。
【０１３３】
以上より、プリンタ３はデバイスリンクプロファイルＰ４１を用いて、明度とそれに合わせて彩度も補正されるため、色再現性のより良い出力画像を用紙に形成することができる。なお、上記実施形態では、ソースプロファイルＰ１１とデスティネーションプロファイルＰ２からデバイスリンクプロファイルＰ４１を作成しているが、これに限らず、デバイスリンクプロファイルＰ４１を作成することなく、ソースプロファイルＰ１１とデスティネーションプロファイルＰ２を用いて２段階の変換処理を行ってもよい。
【０１３４】
以上のように、本実施形態によれば、ソースプロファイルＰ１又はＰ１１の紙種情報及びデスティネーションプロファイルＰ２の紙種情報に基づいて明度補正量を決定し、決定された明度補正量に基づいて入力画像の明度を補正することにより、出力デバイスに適した画像を出力することができる。
【０１３５】
また、入力画像に対して、硬調又は軟調となるように明度補正量を決定することができる。
【０１３６】
また、明度補正量に基づいて、入力画像の明度及び彩度を補正することができる。
【０１３７】
また、ソースプロファイルＰ１又はＰ１１の紙種情報とデスティネーションプロファイルＰ２の紙種情報との組み合わせに基づいて、明度補正量を決定することができる。
【０１３８】
また、ソースプロファイルＰ１又はＰ１１の紙種分類とデスティネーションプロファイルＰ２の紙種分類との組み合わせに基づいて、明度補正量を決定することができる。
【０１３９】
また、明度補正量に基づいてＬ＊ａ＊ｂ＊値のうちＬ＊値を補正し、変更後のＬ＊´ａ＊ｂ＊値をＣＭＹＫ値に変換することにより、明度を補正することができる。
【０１４０】
また、Ｌ＊ａ＊ｂ＊値をＸＹＺ値に変換し、明度補正量に基づいてＹ値を変更し、Ｙ値からＹ´値への変更量に応じてＸ値及びＺ値を変更し、変更されたＸ´Ｙ´Ｚ´値をＬ＊ａ＊ｂ＊値に再変換し、再変換されたＬ＊´ａ＊´ｂ＊´値をＣＭＹＫ値に変換することにより、入力画像の明度及び彩度を補正することができる。
【０１４１】
また、ソースプロファイルＰ１にＣＭＹＫ→Ｌ＊ａ＊ｂ＊ＬＵＴを含ませ、ソースプロファイルＰ１１にＲＧＢ→Ｌ＊ａ＊ｂ＊ＬＵＴを含ませ、デスティネーションプロファイルＰ２にＬ＊ａ＊ｂ＊→ＣＭＹＫＬＵＴを含ませることができる。
【０１４２】
また、操作部２３によりソースプロファイルＰ１又はＰ１１の紙種情報及びデスティネーションプロファイルＰ２の紙種情報を入力することができ、表示部２２により設定画面を表示することができる。
【符号の説明】
【０１４３】
１００  画像処理システム
１      測色機
２      画像処理装置
２１    制御部
２１１  ＣＰＵ
２１２  ＲＡＭ
２１３  ＲＯＭ
２２    表示部
２３    操作部
２４    記憶部
３      プリンタ
Ｐ１    ソースプロファイル
Ｐ２    デスティネーションプロファイル
Ｐ３    デバイスリンクプロファイル
Ｐ３１  デバイスリンクプロファイル
Ｐ４    デバイスリンクプロファイル
Ｐ４１  デバイスリンクプロファイル
【図１】
2011239194.tif 000003
【図２】
2011239194.tif 000004
【図３】
2011239194.tif 000005
【図４】
2011239194.tif 000006
【図５】
2011239194.tif 000007
【図６】
2011239194.tif 000008
【図７】
2011239194.tif 000009
【図８】
2011239194.tif 000010
【図９】
2011239194.tif 000011
【図１０】
2011239194.tif 000012
【図１１】
2011239194.tif 000013
【図１２】
2011239194.tif 000014
【図１３】
2011239194.tif 000015
【図１４】
2011239194.tif 000016
【図１５】
2011239194.tif 000017
【図１６】
2011239194.tif 000018
【図１７】
2011239194.tif 000019
【図１８】
2011239194.tif 000020
【図１９】
2011239194.tif 000021
【図２０】
2011239194.tif 000022